(57)【要約】【課題】重量の増加が抑制しつつ、竿尻部の強度を向上することができる釣竿、及び、釣竿用尻栓を提供する。【解決手段】竿尻部１０に尻栓２が取付られてなる釣竿であって、尻栓２は、竿体１より突出した尻栓本体２１と、尻栓本体２１から延設されて竿体１の竿尻部１０に嵌入された嵌入部２０とを備え、尻栓本体２１は、竿体１の径方向から作用する外力Ｆ１を受け得る支持部２４を備えていると共に、支持部２４が上側となるように竿体１をその軸線を水平にして配置したときに、嵌入部２０の先端部は、周方向のうち上側が竿体１の内周面と接触しており、且つ、下側が竿体１の内周面と非接触である。【選択図】　　　　　図２
2004129569.tif 000002
【特許請求の範囲】
【請求項１】
竿尻部（１０）に尻栓（２）が取付られてなる釣竿であって、尻栓（２）は、竿体（１）より突出した尻栓本体（２１）と、尻栓本体（２１）から延設されて竿体（１）の竿尻部（１０）に嵌入された嵌入部（２０）とを備え、尻栓本体（２１）は、竿体（１）の径方向から作用する外力（Ｆ１）を受け得る支持部（２４）を備えていると共に、支持部（２４）が上側となるように竿体（１）をその軸線を水平にして配置したときに、嵌入部（２０）の先端部は、周方向のうち上側が竿体（１）の内周面と接触しており、且つ、下側が竿体（１）の内周面と非接触であることを特徴とする釣竿。
【請求項２】
嵌入部（２０）の先端部（２３）は、竿体（１）の径方向における断面積が竿尻側から穂先側に向けて漸減していることを特徴とする請求項１に記載の釣竿。
【請求項３】
釣竿の竿体（１）の竿尻部（１０）に取付けられる釣竿用尻栓であって、尻栓本体（２１）と、尻栓本体（２１）から軸方向に延設されて竿体（１）の竿尻部（１０）に嵌入可能な嵌入部（２０）とを備え、尻栓本体（２１）は、軸方向と直交する方向から作用する外力（Ｆ１）を受け得る支持部（２４）を有し、該支持部（２４）が上側となるように軸線を水平にして配置したときに、嵌入部（２０）の先端部は、周方向のうち上側が竿体（１）の内周面と接触可能であり、且つ、下側が竿体（１）の内周面と接触不能な形状に形成されていることを特徴とする釣竿用尻栓。
【発明の詳細な説明】
【０００１】
【発明の属する技術分野】
本発明は魚釣に用いられる釣竿、特に、竿体の竿尻部に尻栓が挿嵌された釣竿、及び、釣竿用尻栓に関する。
【０００２】
【従来の技術】
従来、例えば、リールを装着して使用する釣竿は、穂先側に向けて先細りに形成された竿体と、該竿体の竿尻側寄りに設けられリールが装着可能なリール装着部と、竿体の竿尻部に取付られた尻栓とを備えている。
【０００３】
また、図５に示す如く、尻栓２００は、竿体１００の竿尻から突出した尻栓本体２０１と、尻栓本体２０１から穂先側に向けて延設されて竿体１００の竿尻部１０２に嵌入された嵌入部２０２とを備えている。嵌入部２０２は、略円柱状に形成されており、嵌入部２０２の外周面全体が竿体１００の内周面と接触することにより、尻栓２００が竿体１００の竿尻部１０２に固定されている。
【０００４】
また、尻栓本体２０１には、竿体１００径方向からの外力を受け得る支持部２０３が設けられており、釣竿は、尻栓本体２０１の支持部２０３を上側にして尻栓本体２０１を釣人（釣竿の使用者）の腹部に当てて支持すると共に、竿体１００のリール装着部近傍に設けられた把持部を片手又は両手で把持することによって保持される（例えば、特許文献１参照）。
【０００５】
そして、保持された釣竿に魚が掛かったときは、竿体１００の穂先が魚に引っ張られることによって当該穂先に下向きの引張力が作用して、把持部を支点として穂先が下方に下降しようとする。しかし、竿体１００の竿尻部１０２に設けられた尻栓本体２０１が釣人の腹部で支持されているので穂先の下降が防止される。即ち、尻栓本体２０１の支持部２０３で前記引張力に対する下向きの支持力Ｆ１を受けることにより、穂先の下降が防止されて竿体１００を一定状態で保持することができる。
【０００６】
上述のように、尻栓本体２０１の支持部２０３に下向きの支持力Ｆ１が作用すると、竿尻部１０２では、竿尻後端１０４（竿体１００の最も竿尻側で嵌入部２０２と竿体１００とが接触している部分）を支点として、竿尻部１０２に嵌入されている嵌入部２０２の上面部２０５に支持力Ｆ１に対する反力Ｒが下向きに作用する。そして、この反力Ｒは、嵌入部２０２の竿尻側から穂先側にいくにつれて大きくなり、嵌入部２０２の先端で最大となる。
【０００７】
また、竿尻後端１０４を支点とした支持力Ｆ１と反力Ｒの釣り合いから、嵌入部２０２の長さが短くなるほど反力Ｒが大きくなる。そして、嵌入部２０２に作用する反力Ｒが大きくなると、嵌入部２０２及び該嵌入部２０２が嵌入されている竿体１００の竿尻部１０２が破損する虞があるため、嵌入部２０２の長さはできる限り長尺に形成して、反力Ｒを小さくすることが好ましい。
【０００８】
【特許文献１】
特開２０００−２０１５８８号公報
【０００９】
【発明が解決しようとする課題】
ところで、釣竿は、仕掛けを投げ込む為に振り回したり、魚の当たりを待つために長時間持ち続けたりすることからできるだけ軽量のものが要望されている。しかしながら、上述のように、竿尻部１０２の強度を向上させるべく嵌入部２０２を長尺にするほど尻栓２００が重たくなって釣竿の重量が増加してしまうという問題があった。
【００１０】
本発明は、斯かる実情に鑑み、重量の増加が抑制しつつ、竿尻部の強度を向上することができる釣竿、及び、釣竿用尻栓を提供することを課題とする。
【００１１】
【課題を解決するための手段】
上記課題を解決するために、本発明に係る釣竿は、請求項１に記載の如く、竿尻部１０に尻栓２が取付られてなる釣竿であって、尻栓２は、竿体１より突出した尻栓本体２１と、尻栓本体２１から延設されて竿体１の竿尻部１０に嵌入された嵌入部２０とを備え、尻栓本体２１は、竿体１の径方向から作用する外力Ｆ１を受け得る支持部２４を備えていると共に、支持部２４が上側となるように竿体１をその軸線を水平にして配置したときに、嵌入部２０の先端部は、周方向のうち上側が竿体１の内周面と接触しており、且つ、下側が竿体１の内周面と非接触であることを特徴とする。
【００１２】
かかる請求項１に記載の釣竿によれば、例えば、尻栓本体２１の支持部２４が上側となるようにして尻栓本体２１を釣人の腹部に当て、竿体１を手で把持することで保持する。この保持した釣竿に魚が掛かって竿体１の穂先が下側に引っ張られると、尻栓本体２１が釣人の腹部で支持されているので、釣竿を支えるために尻栓本体２１の支持部２４に下向きの外力Ｆ１が作用する。このとき、竿尻部１０では、支持部２４に作用する下向きの外力Ｆ１に対する下向きの反力が嵌入部２０に発生する。この反力は嵌入部２０において周方向のうち上側に作用し下側には反力が作用しない。さらに、上述の如く、嵌入部２０の上側において竿体１と接触している位置が支点より離れているほど反力は小さくなるが、嵌入部２０は支点から最も離れた先端部２３において周方向のうち上側が竿体１の内周面と接触しているので、嵌入部２０に作用する反力の大きさが効率的に小さくなっている。そして、該嵌入部２０を従来の釣竿に比して長く形成することで反力の大きさをさらに小さくして竿尻部１０の強度を向上させることができる。
【００１３】
一方、先端部２３においての反力作用しない下側は、竿体１の内周面と非接触であるので、嵌入部２０２の外周面全体が竿体１００と接触している従来の釣竿に比して嵌入部２０の体積を小さくすることができ、嵌入部２０を長く形成しても従来の釣竿に比して重量の増加を抑制することができる。
【００１４】
請求項２に記載の釣竿は、竿体１の径方向における先端部２３の断面積が竿尻側から穂先側に向けて漸減していることを特徴とする。
【００１５】
嵌入部２０に作用する曲げモーメントによって当該嵌入部２０には竿体１の径方向に曲げ応力が発生するが、嵌入部２０の断面積がある部分で急激に変化していると、その部分の曲げ応力が他の部分に比べて高くなる。即ち、断面積が急激に変化している部分に、いわゆる応力集中が発生してその部分が破損し易くなる。そこで、請求項２に記載の発明によれば、嵌入部２０を基端部２２側から先端部２３側に向けて断面積が漸減するように形成することにより、嵌入部２０に作用する応力の変化を緩やかにして応力集中の発生を抑制し、嵌入部２０の破損を防止することができる。
【００１６】
また、本発明に係る釣竿用尻栓は、請求項３に記載の如く、釣竿の竿体１の竿尻部１０に取付けられる釣竿用尻栓であって、尻栓本体２１と、尻栓本体２１から軸方向に延設されて竿体１の竿尻部１０に嵌入可能な嵌入部２０とを備え、尻栓本体２１は、軸方向と直交する方向から作用する外力Ｆ１を受け得る支持部２４を有し、該支持部２４が上側となるように軸線を水平にして配置したときに、嵌入部２０の先端部は、周方向のうち上側が竿体１の内周面と接触可能であり、且つ、下側が竿体１の内周面と接触不能な形状に形成されていることを特徴とする。
【００１７】
かかる請求項３に記載の釣竿用尻栓によれば、竿体１に取付けられたとき、上述した請求項１に記載の発明と同様に、嵌入部２０は支点から最も離れた先端部２３において周方向のうち上側が竿体１の内周面と接触可能な形状に形成されているので、嵌入部２０に作用する反力の大きさが効率的に小さくなっている。そして、該嵌入部２０を従来の釣竿に比して長く形成することで反力の大きさをさらに小さくして竿尻部１０の強度を向上させることができる。
【００１８】
一方、先端部２３において反力が作用しない下側は、竿体１の内周面と接触不能に形成されているので、嵌入部２０２の外周面全体が竿体１００と接触可能に形成されている従来の尻栓２００に比して嵌入部２０の体積を小さくすることができ、嵌入部２０を長く形成しても従来の尻栓に比して重量の増加を抑制することができる。
【００１９】
【発明の実施の形態】
以下、本発明の実施の形態を添付図面を参照して説明する。本実施形態に係る釣竿は、図１に示す如く、穂先側が先細りに形成された竿体１と、リール４が装着可能なリール装着部３と、竿体１の竿尻部１０に取付られた尻栓２とを備えている。
【００２０】
竿体１は、穂先側に向けて小径化する先細りテーパー状に形成された複数の竿部材１１，１２，１３からなり、該竿部材１１，１２，１３は最も竿尻側に配置された元竿１１と、最も穂先側に配置された穂先竿１３と、元竿１１と穂先竿１３との間に配置された複数の中竿１２，…とで構成されている。穂先竿１３除く各竿部材１１，１２、即ち、元竿１１及び中竿１２，…は、中空の管状に形成されており、元竿１１、中竿１２，…及び穂先竿１３の互いの竿先側端部と竿尻側端部とを順次連結することで長尺の竿体１が形成されている。即ち、各竿部材１１，１２，１３をいわゆる並継式に連結することで竿体１が形成されている。各竿部材１１，１２，１３は、それぞれ炭素繊維又はガラス繊維などの強化繊維に合成樹脂を含浸させたプリプレグを用いて成型し、硬化させるべく焼成することによって形成されている。
【００２１】
また、各竿部材１１，１２，１３の外周面には、釣糸４０を挿通可能なリング状の釣糸ガイド１４，…が設けられている。そして、リール装着部３に装着されたリール４から穂先側に向かって釣糸４０を引き出し、順次釣糸ガイド１４，…に挿通することによって、該釣糸４０が穂先まで案内されるように構成されている。
【００２２】
前記リール装着部３は、固定フード３０と、竿体１の軸方向に移動可能で且つ軸方向の任意の位置で姿勢維持が可能な可動フード３１とを備え、該固定フード３０及び可動フード３１でリール４の脚部を挟持した状態で、可動フード３１を姿勢維持することでリール４が竿体１に装着されている。尚、本実施形態において、リール４は両軸受リールが例示されており、リール装着部３は、周方向のうち竿体１の上側に設けられている。
【００２３】
また、竿体１のリール装着部３近傍には、把持部３２が設けられており、該把持部３２を片手又は両手で把持することにより、竿体１を保持するように構成されている。
【００２４】
前記尻栓２は、図２又は図３に示す如く、竿体１の竿尻から突出した尻栓本体２１と、該尻栓本体２１から水平方向に向かって延設された略円柱状の嵌入部２０とを備え、嵌入部２０は元竿の竿尻部１０に嵌入可能に形成されている。
【００２５】
尻栓本体２１は、上側となる面に支持部２４を備えている。即ち、支持部２４は、周方向において前記リール装着部３と、同方位位置に設けられている。そして、該支持部２４は嵌入部２０の軸方向から尻栓本体２１に作用する支持力（外力）Ｆ１を受け得るように構成されている。具体的には、釣人（釣竿の使用者）が釣竿を保持する場合、例えば、前記把持部３２を片手又は両手で把持すると共に、尻栓本体２１を腹部（ヘソの近傍）に当てて支持する。このとき、尻栓本体２１に作用する支持力Ｆ１を支持部２４で受けることにより釣竿が保持される。
【００２６】
また、支持部２４には凹状に形成された凹状溝２５が設けられている。該凹状溝２５は、嵌入部２０の軸線に対して直交する方向に延びるように、支持部２４に凹設されている。そして、該凹状溝２５をピトンと呼ばれる釣竿保持具など（図示省略）に引っかけることにより該凹状溝２５に支持力Ｆ１が作用する。
【００２７】
詳細に説明すると、前記釣竿保持具は、前記凹状溝２５が係合可能な棒状の竿尻支持体と、元竿１１を載置可能な略Ｕ字状のアーム体とを備え、釣場の岩などに固定可能に構成されている。そして、竿尻支持体の下方から当該竿尻支持体に前記凹状溝２５を係合させると共に、元竿１１のリール装着部３より竿尻側をアーム部に載置することで釣竿が釣竿保持具に保持される。即ち、アーム部を支点として穂先側が竿尻側よりも重くなるため、穂先側が下方、竿尻側が上方に移動しようとするが、竿尻側において凹状溝２５と竿尻支持体とが係合しているために、凹状溝２５に下向きの支持力Ｆ１が作用して釣竿が一定の姿勢で釣竿保持具に支持される。
【００２８】
また、尻栓本体２１には貫通穴２６が穿設されている。該貫通穴２６は、尻栓本体において、支持部２４が設けられた面と該支持部２４に対向する面とを貫通するように設けられている。即ち、支持部２４を上側にしたときに、上下方向に貫通している。詳しくは、かかる貫通穴２６は前記凹状溝２５に設けられ、好ましくは、凹状溝２５の略中央に配置する。貫通穴２６はその直径が凹状溝２５の幅と略同一、又は凹状溝２５の幅よりも若干小さくなるように形成されている。そして、貫通穴２６に紐などを挿通し、該紐を前記釣竿保持具や釣人に締結することにより、釣竿が海中へ不用意に転落することを防止することができる。
【００２９】
嵌入部２０は、尻栓本体２１側を基端部２２として先端部２３が竿体１の穂先側に向かって延設され、その径寸法が竿体１の内部空間の径寸法と略同一に形成されており、先端部２３において周方向のうち上側が竿体１の内周面と接触可能であり、且つ、下側が竿体１の内周面と接触不能な形状に形成されている。詳細に説明すると、嵌入部２０の先端部２３は、嵌入部２０の軸線に対して傾斜した平面で切断した形状に形成された、截頭円柱状に形成されている。言い換えると、嵌入部２０はその周方向で上側が下側に比して長尺に形成されている。即ち、嵌入部２０において周方向のうち軸方向の長さが最も長く形成された長尺側２７が前記支持部２４と周方向で同方位位置に設けられており、短尺側２８（嵌入部２０において周方向のうち軸方向の長さが最も短く形成された部分）が前記支持部２４と周方向で対向位置に設けられている。
【００３０】
かかる尻栓２は、ＰＢＴ樹脂（ポリブチレンテレフタレート）やＡＢＳ樹脂などの合成樹脂、木材、或いはステンレスやアルミなどの金属で形成され、本実施形態においては、天然木によって形成されている。
【００３１】
そして、尻栓２は、嵌入部２０を竿尻部１０に嵌入して接着剤で竿体１の内周面と接着することで、竿尻部１０に固定されている。尚、本実施形態においては、接着剤としてエポキシ系接着剤が使用されている。
【００３２】
本実施形態に係る釣竿は、以上の如く構成され、釣人が釣竿を保持する場合は、リール４を操作するために、リール４を上側（釣人の上半身側）に向けて一方の手で把持部３２を把持し、尻栓本体２１を釣人の腹部に当てて支持する。リール４と支持部２４は、周方向で同方位位置に設けられているので支持部２４も上側となる。
【００３３】
そして、このように保持された釣竿に魚が掛かると、魚に引っ張られることによって竿体１の穂先に下向きの引張力Ｆ２が作用する。尻栓本体２１が、腹部で支持されているので、把持部３２を支点として支持部２４に下向きの支持力Ｆ１が作用することにより釣竿が一定位置で保持することができる。尚、本実施形態に係る釣竿を、前記釣竿保持具に保持させた場合も釣人が釣竿を保持する場合と同様、魚が掛かると釣竿保持具のアーム部を支点として、竿尻支持体に係合している支持部２４の凹状溝２５に下向きの支持力Ｆ１が作用することにより釣竿が一定位置で保持される。
【００３４】
そしてこのとき、図２に示す如く、竿体１の竿尻部１０においては、支持力Ｆ１によって嵌入部２０に反力Ｒが発生する。詳しくは、支持部２４に下向きの支持力Ｆ１が作用すると、竿体１の竿尻後端（嵌入部２０の最も竿尻側で竿体１と嵌合している部分）を支点として、周方向のうち嵌入部２０の上側（長尺側２７）に下向きの反力Ｒが発生する。該長尺側２７は、嵌入部２０の周方向のうちで最も長尺に形成されているので、反力Ｒを軸方向に分散させて小さくすることができる。
【００３５】
また、反力Ｒは嵌入部２０の基端部２２から先端部２３に向かうにつれて大きくなり、竿尻後端（支点）から最も離れた位置で竿体１の内周面と接触している部分に最も大きな反力Ｒが作用する。また、この最も大きな反力Ｒが作用する部分が支点より離れているほど嵌入部２０に作用する反力Ｒが全体的に小さくなる。そして、長尺側２７は、支点から最も離れた先端部２３が竿体１の内周面と接触しているので、全体的な反力Ｒの大きさを効率的に小さく抑えることが可能となる。
【００３６】
上述の如く、本実施形態に係る釣竿は、嵌入部２０の長尺側２７と支持部２４とを周方向の同方位位置に設けて長尺側２７で反力Ｒを受けることにより、反力Ｒの大きさを効率的に小さく抑えることができる。そして、嵌入部２０をより長尺に形成すれば、反力Ｒをさらに小さくして竿尻部１０の強度を向上させることができる。
【００３７】
そして、反力Ｒが作用しない短尺側２８の先端部２３を竿体１の内周面と非接触に形成し、長尺側２７に比して短く形成することで、嵌入部２０を長尺に形成しても尻栓２の体積の増加を抑制して、竿尻部１０の重量の増加を抑制することができる。
【００３８】
また、本実施形態の尻栓２において、嵌入部２０の長尺側２７の長さが従来の尻栓の嵌入部と同一長さである場合は、従来の尻栓と略同一の強度を維持しながら、短尺側２８が長尺側２７に比して短い寸法に形成されているので、従来の尻栓に比して軽量な尻栓２及び釣竿を得ることができる。
【００３９】
また、嵌入部２０の先端部２３は、截頭円柱状に形成されているので、嵌入部２０に反力Ｒ作用したときに、嵌入部２０に応力集中が発生して当該嵌入部２０が破損することを防止することができる。詳細に説明すると、嵌入部２０の長さを長尺に形成した場合であっても、当該嵌入部２０において、基端部２２から先端部２３に向かうにつれて軸方向の断面が急激に変化していると、この部分の応力が高くなって破損する恐れがある。従って、嵌入部２０を基端部２２側から先端部２３側に向けて断面積が漸減する截頭円柱状に形成することにより、嵌入部２０に作用する応力の変化を緩やかにして応力集中の発生を抑制し、嵌入部２０の破損を防止することができる。
【００４０】
尚、本発明の釣竿は、上記した実施の形態に限定されるものではなく、本発明の要旨を逸脱しない範囲内において種々変更を加え得ることは勿論である。例えば、本実施形態において、竿体１は、外周面に釣糸ガイド１４を備えたものであるが、竿体１が管状に形成され、リール４から引き出された釣糸４０が竿体１内を通って穂先から導出するように構成された所謂中通し竿であってもよい。
【００４１】
また、竿体１は、並継式以外に振出式であってもよいし、竿体１が一体に成形されたものであってもよい。
【００４２】
尻栓２の嵌入部２０の形状は、上記実施形態に限定されるものではなく、例えば、図４に示す如く、嵌入部２０の先端部２３をかまぼこ状に形成してもよい。即ち、嵌入部２０は、円柱がその周方向の下側でかまぼこ状に切断された形状であってもよい。この場合も、先端部２３が竿体１の内周面と接触している嵌入部２０の長尺側２７と、支持部２４とを同方位位置に形成することで、該長尺側２７で反力Ｒを受けることができる。そして、反力Ｒが作用しない短尺側２８は、先端部２３が竿体１の内周面と非接触に形成されているので、尻栓２の重量の増加が抑制される。
【００４３】
また、本実施形態においては、リール４として両軸受リールを例示し、リール装着部３と嵌入部２０の長尺側２７とが周方向の同方位位置に設けられているが、リール４はスピニングリールなどであってもよく、この場合は支持部２４が上側になるように竿体１の軸線を水平にして釣竿を配置したとき、リール装着部３及びリール４が竿体１の下側に配置されるため、嵌入部２０の長尺側２７はリール装着部３と周方向で対向側に設けられる。即ち、支持部２４と嵌入部２０の長尺側２７が周方向の同方位位置に設けられていればよい。
【００４４】
【発明の効果】
以上のように、本発明に係る釣竿は、尻栓本体の支持部が上側となるように竿体の軸線を水平方向に向けて配置したときに、尻栓の嵌入部は周方向のうち上側、即ち、反力を受ける側において、支点となる位置から最も離れた先端部が竿体の内周面と接触しているため、反力の大きさを効率的に小さく抑えることができる。竿尻部の強度を向上させることができる。
【００４５】
さらに、嵌入部は周方向のうち下側、即ち、反力を受けない側において、先端部が竿体の内周面と非接触であるため、嵌入部の外周面全体が竿体の内周面と接触している従来の釣竿に比して尻栓の体積の増加が抑制してされる。そのため、嵌入部を長く形成しても従来の釣竿に比して竿尻部の重量の増加を抑制することが可能となる。
【００４６】
また、本発明に係る釣竿用尻栓は、竿体に取付けることで、前記同様、嵌入部を長く形成することで反力を小さくして竿尻部の強度を向上させることができると共に、嵌入部の外周面全体が竿体の内周面と接触可能な従来の釣竿用尻栓に比して尻栓の体積の増加を抑制できるので、嵌入部を長く形成しても従来の尻栓に比して竿尻部の重量の増加を抑制することが可能となる。
【図面の簡単な説明】
【図１】本発明の一実施形態にかかる釣竿の側面図を示す。
【図２】同釣竿の竿尻部近傍の断面図を示す。
【図３】同釣竿の竿尻部の分解斜視図を示す。
【図４】尻栓の他形状の側面図を示す。
【図５】従来の釣竿における竿尻部近傍の断面図を示す。
【符号の説明】
１…竿体、２…尻栓、３…リール装着部、４…リール、１０…竿尻部、１１…元竿、１２…中竿、１３…穂先竿、１４…釣糸ガイド、２０…嵌入部、２１…尻栓本体、２２…基端部、２３…先端部、２４…支持部、２５…凹状溝、２６…貫通穴、２７…長尺側、２８…短尺側、３０…固定フード、３１…可動フード、３２…把持部、４０…釣糸、Ｆ１…支持力（外力）、Ｆ２…引張力、Ｒ…反力
【図１】
2004129569.tif 000003
【図２】
2004129569.tif 000004
【図３】
2004129569.tif 000005
【図４】
2004129569.tif 000006
【図５】
2004129569.tif 000007